(57)【要約】【課題】トイレ室内の室温が変化しても、便座の温度を使用者が設定した目標温度となるように一定に保つことができる暖房便座装置を提供する。【解決手段】便座を暖房する便座暖房機能を有する暖房便座装置において、暖房便座の制御手段は、トイレ室内の室温を検出する室温検出手段の検出結果と、ヒータ手段の温度を検出するヒータ温度検出手段の検出結果とに基づいて、便座の温度を推測し、当該推測した便座の温度を目標温度に近付けるようにヒータ手段の設定温度を補正するヒータ設定補正手段を備え、ヒータ設定補正手段による補正後の設定温度に応じた電力をヒータ手段に通電することにより、便座の温度を使用者がした設定された目標温度となるように一定に保つ制御を行う。【選択図】図５
2007312882.tif 000002
【特許請求の範囲】
【請求項１】
使用者が着座して使用する便座と、商用電源に接続され前記便座を暖めるヒータ手段と、使用者の操作により前記便座の目標温度を設定する便座温度設定手段と、前記ヒータ手段の温度を検出するヒータ温度検出手段と、前記便座を配設するトイレ室内の室温を検出する室温検出手段と、前記ヒータ温度検出手段の検出結果、及び、前記室温検出手段の検出結果に基づいて、前記ヒータ手段への通電量を制御する制御手段とを有する暖房便座装置において、
前記制御手段は、前記室温検出手段による検出結果と、前記ヒータ温度検出手段による検出結果とに基づいて、前記便座の温度を推測し、当該推測した便座の温度を前記目標温度に近付けるように前記ヒータ手段の設定温度を補正するヒータ設定補正手段を備え、
前記ヒータ設定補正手段による補正後の前記設定温度に応じた電力を前記ヒータ手段に通電することにより、前記便座の温度を使用者により設定された前記目標温度となるように一定に保つ制御を行うことを特徴とする暖房便座装置。
【請求項２】
前記目標温度は、人体の体温近傍の温度であることを特徴とする請求項１に記載の暖房便座装置。
【請求項３】
前記ヒータ設定補正手段は、前記目標温度と、前記目標温度に対応した前記ヒータ手段の補正目標温度とを対応させた便座温度補正テーブルを所定範囲のトイレ室内の室温毎に複数備え、
前記室温検出手段の検知結果に基づいて、特定の前記ヒータ設定補正テーブルを選択して参照することにより、前記ヒータ手段の設定温度を前記補正目標温度となるように補正することを特徴とする請求項１又は請求項２に記載の暖房便座装置。
【発明の詳細な説明】
【技術分野】
【０００１】
本発明は、使用者が着座して使用する便座と、便座を暖めるヒータ手段と、ヒータ手段への通電量を制御する制御手段とを有する暖房便座装置に関するものである。
【背景技術】
【０００２】
従来より、便座を暖房することにより、便座の温度を使用者が便座に着座したときに快適と感じる温度となるように保つ暖房便座装置が広く利用されている。
【０００３】
この種の暖房便座装置は、一般に、便座を暖房するための便座ヒータと、便座ヒータの温度を検出する温度検出手段と、この温度検出手段による検出結果に基づいて便座ヒータに通電する電力量を制御する制御手段とを備えていた。
【０００４】
そして、この暖房便座装置では、周囲温度を所定の標準温度（たとえば１５℃）と想定して、その標準温度の下で、制御手段が使用者により設定された便座の設定温度を達成できるように便座ヒータへの通電制御を行うことにより便座の温度制御していた。
【０００５】
しかし、この暖房便座装置では、温度検出手段の検出結果だけに基づいて、便座の温度制御を行っていたため、周囲温度が標準温度より高くなった場合に、便座の温度が設定温度より高くなり、使用者が便座温度を高すぎると感じてしまうことがあり、使用者に不快感を与えるおそれがあった。
【０００６】
しかも、使用者に不快感を与える程の便座の加熱は、その分、不必要な電力を便座ヒータへ供給していることとなり、暖房便座装置の消費電力を増大させることにもつながる。
【０００７】
そこで、近年、使用者が快適と感じる便座温度を保つことができる暖房便座装置が考案されている。
【０００８】
この暖房便座装置は、便座内部に設けられ便座を加熱する加熱手段と、使用者の操作によって便座の設定温度を任意に設定する温度設定手段と、暖房便座装置の周囲温度を検出する周囲温度検出手段と、便座の温度を検出する被加熱体温度検出手段と、加熱手段への通電制御を行う制御部とを備えている（例えば、特許文献１参照。）。
【０００９】
そして、この暖房便座装置の制御部は、周囲温度が所定の基準温度より高いときに、使用者が快適と感じる温度となるまで便座の温度を設定温度よりも低くする制御を行い、周囲温度が基準温度よりも低いときに、使用者が快適と感じる温度となるまで便座の温度を設定温度よりも高くする制御を行うことにより、便座の着座面温度を使用者が着座したときに快適と感じる温度に保つように構成していた。
【特許文献１】特開平５−４４２４１号公報
【発明の開示】
【発明が解決しようとする課題】
【００１０】
ところが、上記従来の暖房便座装置は、便座の温度を使用者により設定された設定温度に一定に保つものではなく、便座の温度を周囲温度の変化に応じて、使用者が快適と感じる温度となるように絶えず変化させる制御を行うものであったため、以下のような問題があった。
【００１１】
すなわち、暖房便座装置は、元々使用者に暖を取らせることが目的ではなく、使用者が着座したときに不快と感じない便座温度を保つことを目的として設けるものであるため、周囲温度が低下した場合であっても最低限使用者が不快と感じない程度の便座温度となっていればよく、周囲温度が変化したからといって、便座温度をあえて設定温度よりも高くすることは、加熱手段に不必要な電力を通電することとなり、このことが無駄な電力消費となるという問題があった。
【００１２】
本発明では、上記一般的な暖房便座装置のように、周囲温度が標準温度より高くなった場合に、便座温度が設定温度よりも高くなることがなく、しかも、上記特許文献１に記載の暖房便座装置のように、便座温度を絶えず変化させる制御を行うことなく、不必要な電力消費を防止することができる暖房便座装置を提供することを目的とする。
【課題を解決するための手段】
【００１３】
そこで、請求項１に係る本発明では、使用者が着座して使用する便座と、商用電源に接続され便座を暖めるヒータ手段と、使用者の操作により便座の目標温度を設定する便座温度設定手段と、ヒータ手段の温度を検出するヒータ温度検出手段と、便座を配設するトイレ室内の室温を検出する室温検出手段と、ヒータ温度検出手段の検出結果、及び、室温検出手段の検出結果に基づいて、ヒータ手段への通電量を制御する制御手段とを有する暖房便座装置において、制御手段は、室温検出手段による検出結果と、ヒータ温度検出手段による検出結果とに基づいて、便座の温度を推測し、当該推測した便座の温度を目標温度に近付けるようにヒータ手段の設定温度を補正するヒータ設定補正手段を備え、ヒータ設定補正手段による補正後の設定温度に応じた電力を前記ヒータ手段に通電することにより、便座の温度を使用者により設定された目標温度となるように一定に保つ制御を行うことを特徴とする。
【００１４】
また、請求項２に係る本発明では、請求項１に記載の暖房便座装置において、目標温度は、人体の体温近傍の温度であることを特徴とする。
【００１５】
また、請求項３に係る本発明では、請求項１又は請求項２に記載の暖房便座装置において、ヒータ設定補正手段は、目標温度と、目標温度に対応したヒータ手段の補正目標温度とを対応させた便座温度補正テーブルを所定範囲のトイレ室内の室温毎に複数備え、室温検出手段の検知結果に基づいて、特定のヒータ設定補正テーブルを選択して参照することにより、ヒータ手段の設定温度を補正目標温度となるように補正することを特徴とする。
【発明の効果】
【００１６】
本発明によれば、以下に記載するような効果が生起する。
【００１７】
すなわち、請求項１に係る本発明では、使用者が着座して使用する便座と、商用電源に接続され便座を暖めるヒータ手段と、使用者の操作により便座の目標温度を設定する便座温度設定手段と、ヒータ手段の温度を検出するヒータ温度検出手段と、便座を配設するトイレ室内の室温を検出する室温検出手段と、ヒータ温度検出手段の検出結果、及び、室温検出手段の検出結果に基づいて、ヒータ手段への通電量を制御する制御手段とを有する暖房便座装置において、制御手段は、室温検出手段による検出結果と、ヒータ温度検出手段による検出結果とに基づいて、便座の温度を推測し、当該推測した便座の温度を目標温度に近付けるようにヒータ手段の設定温度を補正するヒータ設定補正手段を備え、ヒータ設定補正手段による補正後の設定温度に応じた電力を前記ヒータ手段に通電することにより、便座の温度を使用者により設定された目標温度となるように一定に保つ制御を行うことを特徴とするため、便座の温度を、トイレ室内の室温の変化に関係なく、使用者により設定された、使用者が不快と感じない温度に常時一定に保つことができ、しかも、便座の温度を使用者により設定された温度よりも高くすることがないので、ヒータ手段により不必要な電力が消費されることを未然に防止して、暖房便座装置の低消費電力化を図ることができる。
【００１８】
また、請求項２に係る本発明では、請求項１に記載の暖房便座装置において、目標温度は、人体の体温近傍の温度であることを特徴とするため、季節にかかわらず、便座の着座面の温度が自動で人体の体温近傍の一定温度となるように制御できるので、季節に応じて、手動で便座目標温度を変えることなく、適温での快適な使用ができる。
【００１９】
また、請求項３に係る本発明では、請求項１又は請求項２に記載の暖房便座装置において、ヒータ設定補正手段は、目標温度と、目標温度に対応したヒータ手段の補正目標温度とを対応させた便座温度補正テーブルを所定範囲のトイレ室内の室温毎に複数備え、室温検出手段の検知結果に基づいて、特定のヒータ設定補正テーブルを選択して参照することにより、ヒータ手段の設定温度を補正目標温度となるように補正することを特徴とするため、暖房便座装置の制御手段は、複雑な演算処理を行うことなく、ヒータ設定補正手段が便座温度補正テーブルを参照して補正した補正目標温度に基づいて、便座の最適な温度制御を行うことができる。
【発明を実施するための最良の形態】
【００２０】
以下、本発明の一実施形態について、図面を参照して具体的に説明する。図１は、本実施形態に係る暖房便座装置を示す斜視図であり、図２は、暖房便座装置を示す側面視による説明図であり、図３は、便座内部を示す断面図であり、図４は、暖房便座装置の電気的構成を示す機能ブロック図であり、図５は、ヒータ設定補正テーブルを示す説明図であり、図６は、ＭＡＸ温度設定テーブルを示す説明図であり、図７は、暖房便座装置の制御部が行う処理を示すフローチャートである。
【００２１】
（暖房便座装置の概要）
図１に示すように、本実施形態に係る暖房便座装置１は、暖房便座装置本体２と、使用者が着座して使用する便座３と、便座３に開閉自在に取付けられた便蓋４とを備えている。
【００２２】
そして、この暖房便座装置１は、暖房便座装置１への使用者の接近を人体センサ５により検知すると便蓋４を自動的に開動作させると共に、人体センサ５によりトイレ室内からの使用者の退出を検知すると便蓋４を自動的に閉動作させる便蓋自動開閉機能と、使用者の局部へ向けて洗浄ノズル１１から洗浄水を噴出させることにより使用者の局部を洗浄する局部洗浄機能とを備えている。
【００２３】
さらに、この暖房便座装置１は、便座３の内部に便座３を加熱するためのヒータ手段を設け、便座３の着座面温度を所定の温度まで上昇させて便座３を暖房する便座暖房機能を備えている。
【００２４】
そのため、この暖房便座装置１は、図１〜図３に示すように、便座３の内部に、商用電源に接続され、商用電源からの電力を供給することにより発熱する複数本の電熱線６を設けると共に、この電熱線６と便座３の着座面との間に、電熱線６が発する熱を便座３に伝達するための金属箔１０を設けている。
【００２５】
そして、この電熱線６と金属箔１０とによって便座３を暖房するヒータ手段を構成している。
【００２６】
また、便座３の内部で電熱線６の近傍にヒータ手段の温度を検出するヒータ温度検出手段として機能するヒータ温度センサ７を設けている。
【００２７】
また、暖房便座装置本体２は、その筐体の上面の一側、具体的には、使用者が便座３に着座したときに右手で操作しやすい位置に、使用者の操作により便座３の着座面温度を、使用者が快適と感じる所定の温度（以下、「目標温度」という。）に設定する便座温度設定手段として機能する便座温度設定ボタン９ａ、９ｂを設けている。
【００２８】
そして、本実施形態の暖房便座装置１は、便座の温度をトイレ室内の室温の変化に関係なく常に一定に保つ自動制御を行う便座温度自動調整モードと、便座温度自動調整モードにおいて設定可能な最高目標温度よりも高い便座温度を可能としたＭＡＸ温度設定モードという２種類のモードを備えており、使用者が便座温度設定ボタン９ａ、９ｂを操作することにより、いずれか一方のモードを選択することができるようにしている。
【００２９】
さらに、各モードにおいて、使用者が便座温度設定ボタン９ａ、９ｂを操作することにより、使用者が設定可能な便座温度設定ステップとして、ステップ１〜５という５段階に便座の目標温度を設定することができるようにしている。
【００３０】
また、図２に示すように、暖房便座装置本体２の筐体の側面後部位置には、暖房便座装置１を配設するトイレ室内の室温を検出する室温検出手段として機能する室温センサ８を設けている。
【００３１】
また、この暖房便座装置本体２の内部には、ヒータ温度センサ７によるヒータ手段の温度検出結果、及び、室温センサ８によるトイレ室内の室温検出結果に基づいて、ヒータ手段に供給する商用電源からの電力量を制御する制御手段を備えている。
【００３２】
この制御手段は、ヒータ温度センサ７によるヒータ手段の温度検出結果、及び、室温センサ８によるトイレ室内の室温検出結果に基づいて、便座３の着座面温度を間接的に推測する着座面温度推測手段を備えている。
【００３３】
さらに、この制御手段は、着座面温度推測手段により推測した便座３の着座面温度を、使用者により設定された目標温度に近付けるように、ヒータ手段の設定温度を補正するヒータ設定補正手段を備えている。
【００３４】
そして、この制御手段は、ヒータ設定補正手段による補正後の設定温度（以下、「補正目標温度」という。）に応じた電力をヒータ手段に通電する制御を行うことにより、便座３の着座面温度を使用者により設定された目標温度となるように、常時一定に保つ制御を行うようにしている。
【００３５】
これにより、便座３の温度を、トイレ室内の室温の変化に関係なく、使用者により設定された、使用者が快適と感じる温度に常時一定に保つことができ、しかも、便座３の温度を使用者により設定された温度よりも高くすることがないので、ヒータ手段により不必要な電力が消費されることを未然に防止して、暖房便座装置１の低消費電力化を図ることができる。
【００３６】
特に、本実施形態では、便座温度自動調整モードにおいて使用者により設定される上記目標温度を人体の体温近傍の温度としており、好適には成人の平均体温である３６度から±２度とすることが望ましい。
【００３７】
こうすることにより、季節にかかわらず、便座３の着座面の温度が自動で人体の体温近傍の一定温度となるように制御できるので、季節に応じて、手動で便座３の目標温度を変えることなく、適温での快適な使用ができる。
【００３８】
ただし、比較的高い便座３の着座面温度を好む使用者のことを考慮し、本実施形態に係る暖房便座装置１では、ＭＡＸ温度設定モードに限り便座３の着座面温度を４０度まで上昇させることも可能にしている。
【００３９】
（暖房便座装置の電気的構成）
次に、暖房便座装置１の電気的構成について、図４を参照して説明する。
【００４０】
暖房便座装置１は、図４に示すように、ＣＰＵ（Central Processing Unit）２０と、ＲＯＭ（Read Only Memory）２１と、ＲＡＭ（Random Access Memory）２２と、便座温度設定ボタンユニット２５と、便座ヒータユニット２６と、ヒータ温度センサ７と、室温センサ８と、局部洗浄ユニット２７と、便蓋開閉ユニット２８とを備えている。
【００４１】
そして、ＲＯＭ２１、ＲＡＭ２２、便座温度設定ボタンユニット２５、便座ヒータユニット２６、ヒータ温度センサ７、室温センサ８、局部洗浄ユニット２７、便蓋開閉ユニット２８は、全てバスを介してＣＰＵ２０に接続している。
【００４２】
ＣＰＵ２０は、ＲＯＭ２１に記憶している各種プログラムを読出して実行することにより、暖房便座装置１が備えるヒータ温度センサ７、室温センサ８、便座ヒータユニット２６、局部洗浄ユニット２７、便蓋開閉ユニット２８の動作を統括制御する演算処理装置である。
【００４３】
ＲＯＭ２１は、ヒータ温度センサ７、室温センサ８、図示しない人体検知センサ等の各センサを動作させるためのセンサ動作プログラム、便座ヒータユニット２６を操作させるためのヒータ動作プログラム、局部洗浄ユニット２７を動作させるための局部洗浄プログラム、便蓋開閉ユニット２８を動作させるための便蓋開閉プログラム等、ＣＰＵ２０が暖房便座装置１全体を統括制御するために実行する各種プログラムを記憶している記憶装置である。
【００４４】
また、このＲＯＭ２１には、ヒータ設定補正テーブル２３と、ＭＡＸ温度設定テーブル２４とを記憶させている。
【００４５】
ヒータ設定補正テーブル２３は、上記した便座温度自動調整モードのときに用いるもので、使用者により設定された便座３の目標温度と、その目標温度に対応したヒータ手段の補正目標温度とをそれぞれ対応させた複数のテーブルであり、このテーブルを、所定範囲の室温毎にそれぞれ設けるようにしている。
【００４６】
具体的に説明すると、このヒータ設定補正テーブル２３は、図５に示すように、トイレの室温が7.5℃未満のときのテーブルと、室温が7.5℃〜12.5℃のときのテーブルと、室温が12.5℃〜17.5℃のときのテーブルと、室温が17.5℃〜22.5℃のときのテーブルと、室温が22.5℃〜27.5℃のときのテーブルと、室温が27.5℃以上のときのテーブルという６つのテーブルから構成している。
【００４７】
ここで、図５に示すヒータ設定補正テーブル２３において、温度設定の欄に記載しているステップ１〜５は、使用者が上記した便座温度設定ボタン９ａ、９ｂを操作することによって便座３の目標温度を設定する５段階の便座温度設定ステップのことである。
【００４８】
また、便座表面温度（平均）の欄に記載している各温度は、各便座温度設定ステップに対応した便座３の目標温度であり、トイレ室内の室温とヒータ手段の補正目標温度とに基づいて、制御手段が便座３の着座面温度を推測する処理を行う際に参照されるものである。
【００４９】
また、図５中のＴＨは、室温センサ８が室温を検出したときに出力するディジタル値である。すなわち、室温センサ８がＴＨ＝７９という値を出力したときの室温が7.5℃であり、室温センサ８がＴＨ＝１３６という値を出力したときの室温が27.5℃ということになる。
【００５０】
また、図５中に示すＡＤ値は、ヒータ温度センサ７がヒータ手段の温度を検出したときに出力するディジタル値であり、ヒータ温度の欄に記載している温度は、各ＡＤ値に対応したヒータ手段の温度を示すものである。
【００５１】
具体的には、室温が５℃未満のトイレ室内において、ＡＤ値が「１０７」であった場合、ヒータ手段の温度が４４℃になると推測され、その結果、便座３の着座面温度が３６℃になると推測されるのである。
【００５２】
また、このＡＤ値は、ヒータ手段に供給する電力（電圧：０Ｖ〜５Ｖ）を２５６分割したディジタル値でもあり、ＡＤ値＝０（ヒータ手段の温度が最低温度）のときにヒータ手段に供給されている電圧は０Ｖであり、ＡＤ値＝２５６（ヒータ手段の温度が最高温度）のときにヒータ手段に供給されている電圧は５Ｖということになる。
【００５３】
すなわち、このＡＤ値は、ヒータ温度センサ７による検出結果を示す値であり、且つ、便座温度設定ステップに対応した目標温度を達成するために、ヒータ手段に設定するヒータ手段の設定温度（補正目標温度）をディジタル値に換算したものでもある。
【００５４】
また、ＭＡＸ温度設定テーブル２４は、図６に示すように、使用者により設定される１〜５の各便座温度設定ステップ毎に、その目標温度と、ヒータ手段に設定するＡＤ値と、ヒータ手段の設定目標温度とをそれぞれ対応させたテーブルである。
【００５５】
そして、このＭＡＸ温度設定テーブル２４は、使用者が比較的高い便座温度（40℃近傍の温度）を好む場合に、便座温度設定ボタン９ａ、９ｂを操作してＭＡＸ温度設定モードを選択したときにだけ用いるテーブルである。
【００５６】
ＲＡＭ２２は、ＣＰＵ２０がＲＯＭ２１から読出した各種プログラムを演算処理する際に、作業領域として用いる記憶装置である。
【００５７】
ヒータ温度センサ７は、電熱線６の温度を検出するサーミスタであり、ＣＰＵ２０がセンサ動作プログラムを実行することにより動作するものである。
【００５８】
室温センサ８は、トイレ室内の室温を検出するサーミスタであり、ＣＰＵ２０がセンサ動作プログラムを実行することにより動作するものである。
【００５９】
便座ヒータユニット２６は、便座３内部に配設され、商用電源と接続された電熱線６と、この電熱線６が発する熱を便座３全体に伝達する金属箔１０とを備えており、ＣＰＵ２０がヒータ動作プログラムを実行することにより動作して便座３を暖房する。
【００６０】
局部洗浄ユニット２７は、局部洗浄用の洗浄水を圧出するポンプ装置と、ポンプ装置を駆動するポンプ駆動回路と、ポンプ装置により圧出された洗浄水を使用者の局部へ向けて噴出する洗浄ノズル１１とを備えており、ＣＰＵ２０が局部洗浄プログラムを実行することにより動作する。
【００６１】
便蓋開閉ユニット２８は、暖房便座装置１への使用者の接近、及び、トイレ室内からの使用者の退出を検知する人体センサ５と、便蓋４を開動作及び閉動作させるモータと、このモータを駆動するモータ駆動回路とを備えており、ＣＰＵ２０が便蓋開閉プログラムを実行することにより動作する。
【００６２】
そして、本実施形態では、これらＣＰＵ２０とＲＯＭ２１とＲＡＭ２２とによって、暖房便座装置１全体の動作を統括制御する制御手段として機能する制御部２０ａを構成している。
【００６３】
（暖房便座装置の制御部が行う処理）
次に、暖房便座装置１の制御部２０ａが便座温度自動調整モードにおいて行う処理について、図５に示すヒータ設定補正テーブルと、図７に示すフローチャートとを参照して説明する。
【００６４】
ここでは、前提として、トイレ内の室温が５℃のときに使用者が便座温度設定としてステップ４を選択することにより、便座温度が34.5度となっている状態から、時間が経過して室温が１５℃まで上昇したときに、制御部２０ａが行うヒータ手段への通電制御を例に挙げて説明する。
【００６５】
図７に示すように、制御部２０ａは、先ず、室温センサ８を作動させてＴＨ値を取得する処理を行う（ステップＳ０１）。
【００６６】
次に制御部２０ａは、取得したＴＨ値に対応したヒータ設定補正テーブル２３を選択する処理を行う（ステップＳ０２）。ここでは、室温が５℃から１５℃に変化しているため、制御部２０ａは、９３≦ＴＨ＜１０７の範囲内にあるＴＨ値を取得することとなり、そのＴＨ値に対応したヒータ設定補正テーブル２３が選択される。
【００６７】
次に制御部２０ａは、ヒータ温度センサ７が出力するＡＤ値を取得する処理を行う（ステップ０３）。ここでは、まだヒータ手段の補正目標温度を変更していないため、室温が５℃のときに便座温度設定ステップとしてステップ４が選択されたままの状態であるため、ヒータ手段の温度は42.4度であり、ＡＤ値として「１０３」というＡＤ値が取得されることとなる。
【００６８】
次に制御部２０ａは、設定ステップ取得処理を行う（ステップＳ０４）。ここで制御部２０ａは、室温が５℃であったときに使用者が設定していた便座温度設定ステップであるステップ４を取得することとなる。
【００６９】
次に制御部２０ａは、ステップＳ０２の処理で選択したヒータ設定補正テーブル２３を参照する処理を行い（ステップＳ０５）、その後、処理をステップＳ０６へ移す。
【００７０】
ステップＳ０６において制御部２０ａは、参照しているヒータ設定補正テーブル２３に基づいて、取得したＡＤ値と、補正目標であるＡＤ値とが等しいか否かの判断を行い、等しいと判断した場合にヒータ手段の設定温度に関する補正を行うことなく処理をステップＳ０１へ戻し、等しくないと判断した場合に処理をステップＳ０７へ移す。
【００７１】
本実施形態では、取得したＡＤ値が「１０３」であり、使用者が設定したステップ４の室温１５℃におけるヒータ手段の補正目標温度が40.7度であり、その補正目標に対応するＡＤ値が「９９」であるため、取得したＡＤ値と補正目標であるＡＤ値とは等しくなく、処理がステップＳ０７へ移行することとなる。
【００７２】
ステップＳ０７において制御部２０ａは、取得したＡＤ値が補正目標温度に対応するＡＤ値（以下、「目標ＡＤ値」という。）よりも大きいか否かの判断を行い、大きいと判断した場合に処理をステップＳ０８へ移し、大きくないと判断した場合に処理をステップＳ０９へ移す。
【００７３】
ここでは、上記のように、ステップＳ０３の処理において取得したＡＤ値は「１０３」であり、目標ＡＤ値は「９９」であり、取得したＡＤ値が目標ＡＤ値よりも大きいため、処理がステップＳ０８へ移行して、目標ＡＤ値を減算する処理を行う。
【００７４】
すなわち、室温１５℃のヒータ設定補正テーブル２３に示すように、室温が１５℃の場合に目標ＡＤ値が「１０３」であると、ヒータ手段の温度が42.4度となり、その結果、便座３の温度が３６℃まで上昇して、目標温度である34.5℃を超えてしまうため、ステップＳ０８において制御部２０ａが目標ＡＤ値の減算処理を行うことにより、目標ＡＤ値を「１０３」から「９９」へ補正する処理を行うようにしている。
【００７５】
そして、制御部２０ａは、上記目標ＡＤ値の減算処理という補正処理を行った後、補正後の目標ＡＤ値に応じた電圧を電熱線６へ印可することによって、便座３の温度を使用者により設定された目標温度に近付け、その後、処理をステップＳ０１へ戻す。
【００７６】
一方、ステップＳ０９において制御部２０ａは、目標ＡＤ値を加算する処理を行い、補正後の目標ＡＤ値に応じた電圧を電熱線６へ印可することによって、便座３の温度を使用者により設定された目標温度に近付け、その後、処理をステップＳ０１へ戻す。
【００７７】
そして、制御部２０ａは、暖房便座装置１に電源が投入されている間、これらステップＳ０１〜Ｓ０９までの処理を繰り返し行うことにより、トイレ室内の室温が変化した場合にも、使用者が設定した便座温度となるように自動で便座温度を一定に保つことができる。
【００７８】
このように、本実施形態に係る暖房便座装置１では、トイレ室内の室温が変化した場合に、ヒータ温度センサ７の検知結果と、室温センサ８の検知結果を取得して、ヒータ設定補正テーブル２３を参照するだけで、複雑な演算処理を行うことなく、容易にヒータ手段に設定する目標ＡＤ値を補正することができ、便座３の最適な自動温度制御を行うことができる。
【図面の簡単な説明】
【００７９】
【図１】本実施形態に係る暖房便座装置を示す斜視図である。
【図２】暖房便座装置を示す側面視による説明図である。
【図３】便座内部を示す断面図である。
【図４】暖房便座装置の電気的構成を示す機能ブロック図である。
【図５】ヒータ設定補正テーブルを示す説明図である。
【図６】ＭＡＸ温度設定テーブルを示す説明図である。
【図７】暖房便座装置の制御部が行う処理を示すフローチャートである。
【符号の説明】
【００８０】
１  暖房便座装置
２  暖房便座装置本体
３  便座
４  便蓋
５  人体センサ
６  電熱線
７  ヒータ温度センサ
８  室温センサ
９ａ、９ｂ  便座温度設定ボタン
１０  金属箔
１１  洗浄ノズル
２０  ＣＰＵ
２０ａ  制御部
２１  ＲＯＭ
２２  ＲＡＭ
２３  ヒータ設定補正テーブル
２４  ＭＡＸ温度設定テーブル
２５  便座温度設定ボタンユニット
２６  便座ヒータユニット
２７  局部洗浄ユニット
２８  便蓋開閉ユニット
【図１】
2007312882.tif 000003
【図２】
2007312882.tif 000004
【図３】
2007312882.tif 000005
【図４】
2007312882.tif 000006
【図５】
2007312882.tif 000007
【図６】
2007312882.tif 000008
【図７】
2007312882.tif 000009